(57)【要約】【課題】  手書き入力情報の取扱に関して高機能化を図り、送受信者の使い勝手の向上を図る。【解決手段】  入力ペンを用いて手書き入力を行うタブレットを設け、手書きによって入力された手書き入力情報及び手書き入力以外の非手書き入力情報を通信ネットワークに接続しメールサーバを介して双方向通信可能とし、上記手書き入力情報は手書き入力の状態が変更されることなく通信相手に着信されるようにした。【選択図】        図８
2005250872.tif 000002
【特許請求の範囲】
【請求項１】
入力ペンを用いて手書き入力を行うタブレットを備え、
手書きによって入力された手書き入力情報及び手書き入力以外の非手書き入力情報を通信ネットワークに接続しメールサーバを介して双方向通信可能とし、
上記手書き入力情報は手書き入力の状態が変更されることなく通信相手に着信されるようにした
ことを特徴とする通信処理装置。
【請求項２】
上記手書き入力情報に音声情報を付加するようにした
ことを特徴とする請求項１に記載の通信処理装置。
【請求項３】
上記手書き入力が行われるときにタブレットの座標に対する入力ペンの入力位置を検出して座標位置データーとして保存し、
該座標位置データーを座標の取得順序を変更することなく順次読み出して送信するようにした
ことを特徴とする請求項１に記載の通信処理装置。
【請求項４】
上記手書き入力が行われるときにタブレットに対する入力ペンの入力圧力を検知して筆圧データーとして保存し、
該筆圧データーを読み出して送信するようにした
ことを特徴とする請求項３に記載の通信処理装置。
【請求項５】
受信した手書き入力情報及び非手書き入力情報の再生位置の選択が可能な再生位置選択操作手段を設けた
ことを特徴とする請求項１に記載の通信処理装置。
【請求項６】
受信した手書き入力情報及び非手書き入力情報の総再生時間を表示するようにした
ことを特徴とする請求項１に記載の通信処理装置。
【請求項７】
受信した手書き入力情報及び非手書き入力情報の各送信者を色分けして表示するようにした
ことを特徴とする請求項１に記載の通信処理装置。
【請求項８】
入力ペンを用いて手書き入力を行うタブレットを備えた通信処理装置における通信方法であって、
手書きによって入力された手書き入力情報及び手書き入力以外の非手書き入力情報を入力し、
手書き入力情報及び非手書き入力情報を通信ネットワークに接続しメールサーバを介して送信し、
上記手書き入力情報は手書き入力の状態が変更されることなく通信相手に着信されるようにした
ことを特徴とする通信方法。
【請求項９】
上記手書き入力情報に音声情報を付加するようにした
ことを特徴とする請求項８に記載の通信方法。
【請求項１０】
入力ペンを用いて手書き入力を行うタブレットを備え入力された情報を通信ネットワークに接続しメールサーバを介して双方向通信可能とする通信処理装置における通信プログラムであって、
手書きによって入力された手書き入力情報及び手書き入力以外の非手書き入力情報を保存する保存工程と、
手書き入力の状態を変更することなく手書き入力情報及び非手書き入力情報を読み出す読出工程とを備えた
ことを特徴とする通信プログラム。
【請求項１１】
上記手書き入力情報に音声情報を付加するようにした
ことを特徴とする請求項１０に記載の通信プログラム。
【発明の詳細な説明】
【技術分野】
【０００１】
本発明は通信処理装置、通信方法及び通信プログラムについての技術分野に関する。詳しくは、手書き入力情報の取扱に関して高機能化を図り、送受信者の使い勝手の向上を図る技術分野に関する。
【背景技術】
【０００２】
文字や図形等を入力ペンによって入力可能な書き込み領域（タブレット）を備え、入力された情報を送信可能とした通信処理装置がある（例えば、特許文献１参照）。
【０００３】
このような通信処理装置にあっては、例えば、書き込み領域とアドレス領域とを有し、書き込み領域に所望の文字等が入力ペンによって入力されると、入力された文字等がコード化された文字図形データーとして認識され、アドレス領域に送信先のメールアドレスを入力して送信処理を行うことにより、入力された文字図形データーが送信可能とされている。
【０００４】
【特許文献１】特表２００３−５２８５０９号公報
【発明の開示】
【発明が解決しようとする課題】
【０００５】
ところが、通信処理装置を用いて入力した情報を通信する場合に、上記のように、コード化された文字図形データーが送信されると、受信者にとっては送信者が入力ペンによって入力した筆跡等の状態を認識することができず、送信者との間で親近感を生じ難い。
【０００６】
また、入力した情報を、一度に複数人に送信することができれば便利である。
【０００７】
そこで、本発明通信処理装置、通信方法及び通信プログラムは、上記した問題点を克服し、手書き入力情報の取扱に関して高機能化を図り、送受信者の使い勝手の向上を図ることを課題とする。
【課題を解決するための手段】
【０００８】
本発明通信処理装置は、上記した課題を解決するために、手書きによって入力された手書き入力情報及び手書き入力以外の非手書き入力情報を通信ネットワークに接続しメールサーバを介して双方向通信可能とし、上記手書き入力情報は手書き入力の状態が変更されることなく通信相手に着信されるようにしたものである。
【０００９】
本発明通信方法は、上記した課題を解決するために、手書きによって入力された手書き入力情報及び手書き入力以外の非手書き入力情報を入力し、手書き入力情報及び非手書き入力情報を通信ネットワークに接続しメールサーバを介して送信し、上記手書き入力情報は手書き入力の状態が変更されることなく通信相手に着信されるようにしたものである。
【００１０】
本発明通信プログラムは、上記した課題を解決するために、入力された情報を通信ネットワークに接続しメールサーバを介して双方向通信可能とする通信プログラムにおいて、手書きによって入力された手書き入力情報及び手書き入力以外の非手書き入力情報を保存する保存工程と、手書き入力の状態を変更することなく手書き入力情報及び非手書き入力情報を読み出す読出工程とを設けたものである。
【００１１】
従って、本発明通信処理装置、通信方法及び通信プログラムにあっては、受信者において、手書き入力の状態が変更されることなく手書き入力情報が受信される。
【発明の効果】
【００１２】
本発明通信処理装置は、入力ペンを用いて手書き入力を行うタブレットを備え、手書きによって入力された手書き入力情報及び手書き入力以外の非手書き入力情報を通信ネットワークに接続しメールサーバを介して双方向通信可能とし、上記手書き入力情報は手書き入力の状態が変更されることなく通信相手に着信されるようにしたことを特徴とする。
【００１３】
従って、受信者において送信者が入力ペンによって入力した筆跡等の状態を認識することができ、送信者との間で親近感を生じ易い。
【００１４】
また、通信ネットワークに接続しメールサーバを介して入力した情報を送受信するため、一度に複数の受信者に送信することができると共に受信者の都合に応じ必要に応じて何時でも送信された情報を取得することができる。
【００１５】
請求項２に記載した発明にあっては、上記手書き入力情報に音声情報を付加するようにしたので、受信者に、より具体的かつ正確に情報を伝達することができる。
【００１６】
請求項３に記載した発明にあっては、上記手書き入力が行われるときにタブレットの座標に対する入力ペンの入力位置を検出して座標位置データーとして保存し、該座標位置データーを座標の取得順序を変更することなく順次読み出して送信するようにしたので、簡単な処理によって情報を正確に送信することができる。
【００１７】
請求項４に記載した発明にあっては、上記手書き入力が行われるときにタブレットに対する入力ペンの入力圧力を検知して筆圧データーとして保存し、該筆圧データーを読み出して送信するようにしたので、受信者においては入力された文字の筆圧を認識することができ、送信者の筆跡をより正確に把握することができる。
【００１８】
請求項５に記載した発明にあっては、受信した手書き入力情報及び非手書き入力情報の再生位置の選択が可能な再生位置選択操作手段を設けたので、再生画面に任意の再生状態を表示することが可能であり、送受信者における使い勝手の向上を図ることができる。
【００１９】
請求項６に記載した発明にあっては、受信した手書き入力情報及び非手書き入力情報の総再生時間を表示するようにしたので、受信者は、総再生時間を考慮して、自己の都合に応じた時間に情報の再生を行うことができる。
【００２０】
請求項７に記載した発明にあっては、受信した手書き入力情報及び非手書き入力情報の各送信者を色分けして表示するようにしたので、受信者において、各情報の送信者を簡単かつ迅速に認識することができる。
【００２１】
請求項８に記載した発明にあっては、入力ペンを用いて手書き入力を行うタブレットを備えた通信処理装置における通信方法であって、手書きによって入力された手書き入力情報及び手書き入力以外の非手書き入力情報を入力し、手書き入力情報及び非手書き入力情報を通信ネットワークに接続しメールサーバを介して送信し、上記手書き入力情報は手書き入力の状態が変更されることなく通信相手に着信されるようにしたことを特徴とする。
【００２２】
従って、受信者において送信者が入力ペンによって入力した筆跡等の状態を認識することができ、送信者との間で親近感を生じ易い。
【００２３】
また、通信ネットワークに接続しメールサーバを介して入力した情報を送受信するため、一度に複数の受信者に送信することができると共に受信者の都合に応じ必要に応じて何時でも送信された情報を取得することができる。
【００２４】
請求項９に記載した発明にあっては、上記手書き入力情報に音声情報を付加するようにしたので、受信者に、より具体的かつ正確に情報を伝達することができる。
【００２５】
請求項１０に記載した発明にあっては、入力ペンを用いて手書き入力を行うタブレットを備え入力された情報を通信ネットワークに接続しメールサーバを介して双方向通信可能とする通信処理装置における通信プログラムであって、手書きによって入力された手書き入力情報及び手書き入力以外の非手書き入力情報を保存する保存工程と、手書き入力の状態を変更することなく手書き入力情報及び非手書き入力情報を読み出す読出工程とを備えたことを特徴とする。
【００２６】
従って、受信者において送信者が入力ペンによって入力した筆跡等の状態を認識することができ、送信者との間で親近感を生じ易い。
【００２７】
また、通信ネットワークに接続しメールサーバを介して入力した情報を送受信するため、一度に複数の受信者に送信することができると共に受信者の都合に応じ必要に応じて何時でも送信された情報を取得することができる。
【００２８】
請求項１１に記載した発明にあっては、上記手書き入力情報に音声情報を付加するようにしたので、受信者に、より具体的かつ正確に情報を伝達することができる。
【発明を実施するための最良の形態】
【００２９】
以下に、本発明通信処理装置、通信方法及び通信プログラムの最良の形態を添付図面に従って説明する。
【００３０】
尚、本発明通信処理装置は、パーソナルコンピューター等の情報処理装置、ＰＤＡ（Personal Digital Assistant）、ネットワーク端末、携帯情報端末、ワークステーション等の各種の通信処理装置に広く適用することができ、本発明通信方法及び通信プログラムは、これらの各種の通信処理装置において用いられる通信方法及び通信プログラムに広く適用することができる。
【００３１】
また、本発明は、入力された各情報を通信ネットワークに接続しメールサーバを介して双方向通信可能とするものであるが、ここで言う通信ネットワークとは、例えば、インターネットやイントラネット等の相互に通信可能なネットワークを意味する。
【００３２】
先ず、本発明に関連するネットワークシステムの構築例を説明する（図１参照）。
【００３３】
ネットワークに接続される端末として、例えば、複数の通信処理装置１、１Ａ、１Ｂが設けられている。尚、ネットワーク上に設けられる通信処理装置の数は任意であり、図１のように３つに限定されることはない。
【００３４】
通信処理装置１は、公衆電話回線２を経由してインターネットサービスプロバイダ３と接続され、該インターネットサービスプロバイダ３を介してインターネット４と接続されている。
【００３５】
通信処理装置１はＬＡＮ（Local Area Network）５とも接続されている。ＬＡＮ５は、ルータ６を介してインターネット４と接続されている。尚、このＬＡＮ５はＷＡＮ（Wide Area Network）等のイントラネットであってもよい。
【００３６】
通信処理装置１Ａは、公衆電話回線２Ａを経由してインターネットサービスプロバイダ３Ａを介してインターネット４と接続されている。
【００３７】
通信処理装置１ＢはＬＡＮ５と接続されている。従って、通信処理装置１Ｂは、ＬＡＮ５及びルータ６を介してインターネット４と接続されている。
【００３８】
上記のようなネットワークが構築されているため、通信処理装置１と通信処理装置１Ａは、インターネット４を介して双方向通信可能とされ、また、インターネット４とＬＡＮ５のネットワークを経由しても双方向通信可能とされている。通信処理装置１と通信処理装置１Ｂは、ＬＡＮ５を介して双方向通信可能とされ、また、インターネット４とＬＡＮ５のネットワークを経由しても双方向通信可能とされている。通信処理装置１Ａと通信処理装置１Ｂは、インターネット４とＬＡＮ５のネットワークを経由して双方向通信可能とされる。
【００３９】
従って、通信処理装置１、１Ａ、１Ｂは、上記ネットワークにより、相互に双方向通信可能とされている。
【００４０】
インターネットサービスプロバイダ３にはメールサーバ７が接続され、インターネットサービスプロバイダ３Ａにはメールサーバ７Ａが接続され、ＬＡＮ５にはメールサーバ８が接続されている。従って、通信処理装置１、１Ａ、１Ｂから送信された情報は、それぞれメールサーバ７、メールサーバ７Ａ又はメールサーバ８に蓄積され、これらの蓄積された情報を取り出して通信処理装置１、１Ａ、１Ｂにおいて受信することができる。
【００４１】
次に、通信処理装置１の構成について説明する（図１参照）。尚、通信処理装置１Ａ、１Ｂについても同様の構成が採用されている。
【００４２】
通信処理装置１は、ネットワークを介しての通信を行うためにモデム９及びＬＡＮアダプタ１０を備えている。
【００４３】
モデム９により、例えば、アナログの公衆電話回線２を介してダイヤルアップによりインターネットサービスプロバイダ３と接続し、インターネット４と接続することが可能とされている。
【００４４】
ＬＡＮアダプタ１０によっても、ＬＡＮ５と接続される通信処理装置１Ａ、１Ｂとの通信が可能とされている。
【００４５】
通信処理装置１はＣＰＵ（Central Processing Unit）１１を備え、該ＣＰＵ１１はシステムバス１２を介して所定の各部、即ち、モデム９、ＬＡＮアダプタ１０、ＲＯＭ（Read Only Memory）１３、ＲＡＭ（Random Access Memory）１４、コンパクトディスクドライブ１５、ハードディスクドライブ１６、フロッピーディスクドライブ１７、ユーザインターフェイス１８及びグラフィックデバイスコントローラ１９と接続されている。
【００４６】
ＲＯＭ１３にはファームウェア等のプログラムが格納され、ＲＡＭ１４にはＣＰＵ１１が各種の処理を実行するために必要なデーターやプログラム等が保存されている。
【００４７】
コンパクトディスクドライブ１５は、例えば、ＣＤ−ＲＯＭ、ＣＤ−Ｒ等の各種のコンパクトディスクに対するデーターの記録や再生を行うことができる。尚、このようなディスクドライブとしては、コンパクトディスクドライブ１５に限定されるものではなく、例えば、ＤＶＤやＢｌｕ−ｒａｙ等のディスクに対するデータの記録や再生が可能なディスクドライブが備えられていてもよい。
【００４８】
ハードディスクドライブ１６は、ハードディスクを備えることで比較的大容量のデーターを記録することができる。ＣＰＵ１１は、システムバス１２を介して、ハードディスクドライブ１６のハードディスクに対してデーターファイルやプログラム等の記録又は読出を行う。
【００４９】
フロッピーディスクドライブ１７は、ＣＰＵ１１の制御によって、フロッピーディスクに対してデーターの記録や再生を行うことができる。
【００５０】
ＣＰＵ１１は、ハードディスクドライブ１６にインストールされた各種のアプリケーションプログラムやＲＯＭ１３に格納されているファームウェア等のプログラムに従って各種の処理を実行する。
【００５１】
通信処理装置１はマウス２０、キーボード２１、タブレット２２及びモニタ２３を備えている。尚、タブレット２２とモニタ２３は兼用のものであってもよい。
【００５２】
ユーザインターフェイス１８にはマウス２０、キーボード２１、タブレット２２からの情報が入力される。入力された情報はユーザインターフェイス１８によってＣＰＵ１１による処理が可能な情報に変換され、変換された情報がシステムバス１２を介してＣＰＵ１１に入力される。
【００５３】
グラフィックデバイスコントローラ１９は、ＣＰＵ１１の制御に応じて、モニタ２３に対して表示すべき画像データーをＶＲＡＭ（Video Random Access Memory）２４上で生成し、この生成した画像データーを、例えば、ＲＧＢのビデオ信号に変換してディスプレイ装置２３に出力する。
【００５４】
尚、ネットワークシステムの端末として機能する通信処理装置１、１Ａ、１Ｂの構成は上記した構成に限定されるものではなく、適宜変更することが可能である。
【００５５】
以下に、ネットワークシステム上の動作について説明する。
【００５６】
先ず、通信処理装置１、１Ａ、１Ｂに入力された情報を送受信するためのソフトウェアＳについて説明する。
【００５７】
ソフトウェアＳは、例えば、ハードディスクドライブ１６等の記憶装置にインストールすることにより実行可能とされる。即ち、通信処理装置１、１Ａ、１ＢにおいてインストールされたソフトウェアＳを起動させてＲＡＭ１４上に展開することにより、ソフトウェアＳのプログラムの実行が可能となる。
【００５８】
ソフトウェアＳは、例えば、ＣＤ−ＲＯＭ等のディスクによる配布やネットワーク上に存在する特定のアプリケーションサーバからネットワークを経由したダウンロードによる配布が行われる。
【００５９】
ソフトウェアＳがネットワーク上で機能するためには、下記の条件１〜５を満たす必要がある。
【００６０】
条件１：ソフトウェアＳを使用して通信すべき２以上の通信処理装置に対してソフトウェアＳが配布されていること。
【００６１】
条件２：ソフトウェアＳを使用して通信すべき２以上の通信処理装置上でソフトウェアＳが起動されていること。
【００６２】
条件３：２以上の通信処理装置のソフトウェアＳに対して、同じ機能プログラムファイルがプラグインとしてインストールされていること。ソフトウェアＳは、機能プログラムファイルがプラグインとしてインストールされることにより、この機能プログラムファイルが有する機能をネットワーク上で実現することができる。
【００６３】
条件４：ソフトウェアＳを使用して通信すべき２以上の通信処理装置において、双方向通信を行うための通信路が確保されていること。即ち、図１に示したモデム９又はＬＡＮアダプタ１０を介して、インターネット４又はＬＡＮ５と接続されていること。
【００６４】
条件５：ソフトウェアＳを使用して通信すべき通信処理装置において、自己のＩＰアドレス（ネットワークアドレス）の設定がされ、かつ、他の通信相手としての通信処理装置のＩＰアドレスが認識（登録）されていること。
【００６５】
ソフトウェアＳを起動させるためには、通信処理装置１、１Ａ、１Ｂ上でオペレーティングシステムが起動されている状態の下で、例えば、マウス２０やキーボード２１等による操作によって、ソフトウェアＳを起動させる。ソフトウェアＳを起動させると、ソフトウェアＳのプログラムがＲＡＭ１４上に展開されソフトウェアＳが常駐状態となる。
【００６６】
起動時においては、ソフトウェアＳは、オペレーティングシステムの提供する通信機能によって、通信処理装置１、１Ａ、１Ｂを使用可能な通信路（モデム９、ＬＡＮアダプタ１０）を介してインターネット４またはＬＡＮ５に接続する。
【００６７】
次に、通信処理装置１（１Ａ、１Ｂ）上での動作について説明する（図２乃至図９参照）。
【００６８】
ソフトウェアＳを起動すると、例えば、タブレット２２上に初期画面２５が開く（図２参照）。初期画面２５上には、表示ボックス２６の他に、新規メール作成釦２５ａ、設定釦２５ｂ、送信者釦２５ｃ、送信日時釦２５ｄ、再生時間釦２５ｅ及び再生釦２５ｆが設けられている。
【００６９】
表示ボックス２６は受信した情報（メール）が表示される画面である。
【００７０】
新規メール作成釦２５ａは新規メールを作成するときに操作する釦であり、新規メール作成釦２５ａの操作により後述するメール作成画面が開く。
【００７１】
設定釦２５ｂはメールを作成する際の各種の設定を行うための釦である。
【００７２】
送信者釦２５ｃ、送信日時釦２５ｄ、再生時間釦２５ｅはそれぞれ現在までに受信したメールの送信者、送信日時、再生時間の並び替えを行うための釦である。
【００７３】
再生釦２５ｆは受信したメールの再生を行うための釦であり、再生釦２５ｆを操作することにより後述する再生画面が開く。
【００７４】
上記のように、新規メール作成釦２５ａを操作すると、メール作成画面２７が開く（図３参照）。
【００７５】
メール作成画面２７上には、メール入力ボックス２８及び宛先入力ボックス２９の他に、宛先釦２７ａ、録画開始釦２７ｂ、録画停止釦２７ｃ、音声録音釦２７ｄ、音声削除釦２７ｅ、プレビュー釦２７ｆ、送信釦２７ｇ、切替釦２７ｈ、絵文字釦２７ｉ、２７ｉ、・・・、カラー釦２７ｊ、２７ｊ、・・・及び再生位置選択操作バー２７ｋが設けられている。再生位置選択操作バー２７ｋは、情報の再生位置の選択が可能な再生位置選択操作手段として設けられている。
【００７６】
メールの作成を行うときには、先ず、宛先釦２７ａを操作する。宛先釦２７ａを操作すると、アドレス帳が開き、このアドレス帳に登録されている送信者の宛先（メールアドレス）を選択して宛先入力ボックス２９に入力する。尚、アドレス帳に送信しようとする送信者の宛先が登録されていない場合には、宛先入力ボックス２９にキーボード２１等を用いて宛先を入力する。
【００７７】
次に、録画開始釦２７ｂを操作してメール入力ボックス２８に入力ペンによって所望の文字や図形を入力する。このとき、切替釦２７ｈを操作し手書き入力モードから絵文字入力モードに切り替えて、所望の絵文字釦２７ｉ、２７ｉ、・・・を操作してメール入力ボックス２８に絵文字を入力することもできる。また、カラー釦２７ｊ、２７ｊ、・・・を選択することにより文字や絵文字に色付けを行うことも可能である。図３には、文字と絵文字の入力が終了した状態を示してある。尚、絵文字及び付された色は非手書き入力情報として入力される。
【００７８】
文字や絵文字の入力が終了したときには録画停止釦２７ｃを操作する。
【００７９】
次に、メール入力ボックス２８に入力した情報に音声を付加したい場合には、音声録音釦２７ｄを操作する。音声録音釦２７ｄを操作すると、上記のように入力した情報がメール入力ボックス２８上で再生され、この再生中に図示しないスピーカーから音声を入力して文字情報等に付加することができる。入力された情報は、入力の開始状態から終了状態まで順に再生されるようになっており、所望の段階において必要に応じて音声を付加することができる。
【００８０】
また、情報の再生中には、再生位置選択操作バー２７ｋが左から右へ移動される。再生位置選択操作バー２７ｋの右方には、再生の開始から現段階までの再生時間と入力された情報の総再生時間とが表示される。このとき、図４に示すように、再生位置選択操作バー２７ｋをマウス２０等を用いて所望の位置に移動させることにより、メール入力ボックス２８に任意の再生状態を表示して音声の録音を行うことが可能である。図４には、例として、入力開始から５６秒後の状態を示してある。
【００８１】
上記のように文字や絵文字の入力と必要に応じた音声の録音とを終了した状態において、必要な場合には、プレビュー釦２７ｆを操作して入力情報を再生して確認することができる。この場合に、音声の録音がされているときには、録音された音声の再生も行われる。プレビュー釦２７ｆを操作したときにも、再生位置選択操作バー２７ｋが左から右へ移動される。このとき音声の削除を行いたい場合には、音声削除釦２７ｅを操作することにより音声の削除を行うことができる。音声の削除は、例えば、音声削除釦２７ｅが操作されてから再度音声削除釦２７ｅが操作されるまでの間の音声が削除される。
【００８２】
最後に、送信釦２７ｇを操作することにより、宛先入力ボックス２９に入力された宛先に、入力された情報が上記したネットワークにより、例えば、通信処理装置１から通信処理装置１Ａ、１Ｂに送信される。送信釦２７ｇを操作し送信が完了すると、メール作成画面２７から初期画面２５に切り替わる。尚、初期画面２５は、メール受信用の待受画面としても機能する。
【００８３】
上記のようにして送信された情報は、例えば、他の通信処理装置１Ａ、１Ｂにおいて受信され、初期画面２５の表示ボックス２６に受信した情報が表示される（図５参照）。
【００８４】
表示ボックス２６には、図５に示すように、入力された情報の他、送信者のメールアドレス、送信日時及び総再生時間が表示される。尚、図５には、表示ボックス２６の上段側に、上記のようにして入力された情報（図３参照）が受信された状態を示し、表示ボックス２６の下段側に、以前に受信した情報を示してある。
【００８５】
受信した情報中に音声の録音を含む場合には、表示ボックス２６に音声マーク３０が表示される。
【００８６】
受信した情報の再生を行うときには、再生したい情報をマウス２０等により選択し再生釦２５ｆを操作する。再生釦２５ｆを操作すると、再生画面３１が開く（図６参照）。再生画面３１上には、再生表示ボックス３２の他に、再生釦３１ａ、返信釦３１ｂ及び再生位置選択操作バー３１ｃが設けられている。再生位置選択操作バー３１ｃは、情報の再生位置の選択が可能な再生位置選択操作手段として設けられている。
【００８７】
再生画面３１が開くと、受信した情報の再生が直ちに開始される。再生画面３１には送信者のメールアドレス及び送信日時が表示される。受信した情報は、入力が開始された状態から入力が終了された状態まで順次再生される。図６には再生が行われている途中の状態（再生開始後３０秒経過した状態）を示し、図７には図６に引き続いて再生が行われている途中の状態（再生開始後６０秒経過した状態）を示し、図８には再生が終了した状態を示してある。
【００８８】
尚、入力ペンによる入力が行われるときには、後述するように、メール入力ボックス２８の座標に対する入力ペンの入力位置が検出され、この検出されたデーターが座標位置データーとして保存される。座標位置データーは座標の取得順序が変更されることなく順次読み出されて送信されるため、受信者が受信した情報は、上記のように、入力が開始された状態から入力が終了された状態まで順次再生される。
【００８９】
このように保存した座標位置データーを座標の取得順序を変更することなく順次読み出して送信しているため、簡単な処理によって情報を正確に送信することができる。
【００９０】
情報の再生中には、再生位置選択操作バー３１ｃが左から右へ移動される。再生位置選択操作バー３１ｃの右方には、再生の開始から現段階までの再生時間と入力された情報の総再生時間とが表示される。このとき、再生位置選択操作バー３１ｃをマウス２０等を用いて所望の位置に移動させることにより、再生画面３１に任意の再生状態を表示することが可能である。従って、受信者において使い勝手の向上が図られる。
【００９１】
また、再生位置選択操作バー２７ｋをマウス２０等を用いて高速で左右に移動させることにより、情報の早送り又は巻き戻しを行うことが可能である。
【００９２】
再度の再生を行いたい場合には、再度、再生釦３１ａを操作する。
【００９３】
受信したメールに対して返信を行いたい場合には、返信釦３１ｂを操作する。返信釦３１ｂを操作すると、メール作成画面２７が開く（図９参照）。メール作成画面２７のメール入力ボックス２８には受信した情報が表示されている。返信の情報の入力は、メールの新規作成と同様の手順で行えばよい。図９には、受信した情報に対する返事（「ＯＫですよ。」）を入力した状態を示してある。尚、図９に示すように、受信した情報は送信するために入力した情報とは、例えば、色合いや濃度等が異なる状態で表示される。従って、送信者において、入力した情報と受信した情報とを容易に判別することができる。
【００９４】
次に、例として、新規メール作成の処理手順を、図１０に示すフローチャート図を参照して説明する。
【００９５】
先ず、上記のように、通信処理装置１を起動してソフトウェアＳを立ち上げて処理を開始する。
【００９６】
（Ｓ１）初期画面２５を開き新規メール作成釦２５ａを操作する。
【００９７】
（Ｓ２）新規メール作成釦２５ａの操作により、メール作成画面２７が表示される。
【００９８】
（Ｓ３）宛先釦２７ａを操作した場合には（Ｓ４）に移行し、宛先釦２７ａを操作しなかった場合には（Ｓ５）に移行する。尚、宛先釦２７ａの操作は、メールの送信前の何れの段階で行ってもよい。
【００９９】
（Ｓ４）送信者の宛先を宛先入力ボックス２９に入力する。
【０１００】
（Ｓ５）録画開始釦２７ｂを操作した場合には（Ｓ６）に移行し、録画開始釦２７ｂを操作しなかった場合には（Ｓ９）に移行する。
【０１０１】
（Ｓ６）入力ペンによってメール入力ボックス２８に情報を入力する。
【０１０２】
（Ｓ７）入力ペンによる入力時間、入力座標の取得及び各座標における筆圧を取得する。尚、例えば、入力ペンによる入力時間は、入力の完了時刻から入力の開始時刻を減じることにより取得し、入力座標は、メール入力ボックス２８のＸＹ座標上の各ポイントを取得し、筆圧は、各入力座標ごとに入力ペンのメール入力ボックス２８に対する圧力を検知し、例えば、０乃至２５５までの２５６段階の筆圧変数に変換することにより取得する。
【０１０３】
（Ｓ８）切替釦２７ｈを操作した場合には（Ｓ９）に移行し、切替釦２７ｈを操作しなかった場合には（Ｓ１０）に移行する。
【０１０４】
（Ｓ９）選択された絵文字の入力又は入力された文字や絵文字に色付けを行う。絵文字又は色付けの選択は、所望の絵文字釦２７ｉ、２７ｉ、・・・又はカラー釦２７ｊ、２７ｊ、・・・を操作することにより行う。
【０１０５】
（Ｓ１０）録画停止釦２７ｃを操作した場合には（Ｓ１１）に移行し、録画停止釦２７ｃを操作しなかった場合には（Ｓ１２）に移行する。
【０１０６】
（Ｓ１１）録画を停止する処理を行い、入力された情報や検出した各データーをＲＡＭ１４やハードディスクドライブ１６等の所定の記憶装置に保存する。
【０１０７】
（Ｓ１２）音声録音釦２７ｄを操作した場合には（Ｓ１３）に移行し、音声録音釦２７ｄを操作しなかった場合には（Ｓ１４）に移行する。
【０１０８】
（Ｓ１３）入力した情報を再生しながら音声録音を行う。
【０１０９】
（Ｓ１４）音声削除釦２７ｅを操作した場合には（Ｓ１５）に移行し、音声削除釦２７ｅを操作しなかった場合には（Ｓ１６）に移行する。
【０１１０】
（Ｓ１５）音声の削除を行う。
【０１１１】
（Ｓ１６）プレビュー釦２７ｆを操作した場合には（Ｓ１７）に移行し、プレビュー釦２７ｆを操作しなかった場合には（Ｓ１８）に移行する。
【０１１２】
（Ｓ１７）プレビュー処理により入力した情報を再生する。
【０１１３】
（Ｓ１８）送信釦２７ｇを操作した場合には（Ｓ１９）に移行し、送信釦２７ｇを操作しなかった場合には（Ｓ３）に移行し新規メールの作成を行う。
【０１１４】
（Ｓ１９）ＲＡＭ１４やハードディスクドライブ１６等入力された情報や各データーが読み出され、宛先入力ボックス２９に入力された宛先に情報等が送信され、処理を完了する。
【０１１５】
以上に記載した通り、通信処理装置１にあっては、手書き入力の状態が変更されることなく手書きによって入力された情報が送信されるため、受信者において送信者が入力ペンによって入力した筆跡等の状態を認識することができ、送信者との間で親近感を生じ易い。
【０１１６】
また、インターネット４又はＬＡＮ５に接続しメールサーバ７、７Ａ、８を介して入力した情報を送受信するため、一度に複数の受信者に送信することができると共に受信者の都合に応じ必要に応じて何時でも送信された情報を取得することができる。
【０１１７】
さらに、入力ペン等によって入力した情報に音声情報を付加することができるため、受信者に、より具体的かつ正確に情報を伝達することができる。
【０１１８】
さらにまた、手書き入力が行われるときに筆圧データーを保存しているため、受信者においては入力された文字の筆圧を認識することができ、送信者の筆跡をより正確に把握することができる。
【０１１９】
加えて、タブレット２２には送信者が入力した情報の総再生時間が表示されるため、受信者は、総再生時間を考慮して、自己の都合に応じた時間に情報の再生を行うことができる。
【０１２０】
尚、通信処理装置１、１Ａ、１Ｂにあっては、以下のように送信者毎に特有の色を付与し、送信者を色分けして識別することも可能である（図１１参照）。
【０１２１】
予め送信者Ａからの情報には第１の色が付されるように登録し、送信者Ｂからの情報には第２の色が付されるように登録する。例えば、送信者Ａから「飲み会どうします？」と送信され、送信者Ｂから「明日午後６時に待ち合わせしませんか？」と送信されたときには、登録された各色が付された情報が受信される。
【０１２２】
送信者と付与された色は、メール作成画面２７Ａの色データーボックス３３に表示される。
【０１２３】
また、これに対して受信者が入力する情報には第３の色が付されるように登録しておくことにより、受信者から返信される情報である「ＯＫですよ。」は、第３の色が付された情報として送信者Ａ、Ｂに送信される。
【０１２４】
このように送信者毎に特有の色を付与しておくことにより、受信者において、各情報の送信者を簡単かつ迅速に認識することができる。
【０１２５】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１２６】
【図１】図２乃至図１１と共に本発明の最良の形態を示すものであり、本図は通信処理装置を含むネットワークの構成を示す概念図である。
【図２】初期画面を示す図である。
【図３】メール作成画面を示す図である。
【図４】メール入力ボックスに任意の再生状態を表示した状態を示す図である。
【図５】初期画面に受信した情報が表示されている状態を示す図である。
【図６】図７及び図８と共に受信した情報を再生する状態を示すものであり、本図は再生の途中の状態を示す図である。
【図７】図６に引き続き、再生の途中の状態を示す図である。
【図８】再生が終了した状態を示す図である。
【図９】受信した情報に対して返信する状態を示す図である。
【図１０】新規メール作成の処理手順を示すフローチャート図である。
【図１１】送信者毎に特有の色を付与し、送信者を色分けして識別する状態を示す図である。
【符号の説明】
【０１２７】
１…通信処理装置、４…インターネット（通信ネットワーク）、５…ＬＡＮ（通信ネットワーク）、７…メールサーバ、７Ａ…メールサーバ、８…メールサーバ、２２…タブレット、２７ｋ…再生位置選択操作バー（再生位置選択操作手段）、３１ｃ…再生位置選択操作バー（再生位置選択操作手段）、１Ｂ…通信処理装置、１Ｃ…通信処理装置
【図１】
2005250872.tif 000003
【図２】
2005250872.tif 000004
【図３】
2005250872.tif 000005
【図４】
2005250872.tif 000006
【図５】
2005250872.tif 000007
【図６】
2005250872.tif 000008
【図７】
2005250872.tif 000009
【図８】
2005250872.tif 000010
【図９】
2005250872.tif 000011
【図１０】
2005250872.tif 000012
【図１１】
2005250872.tif 000013